(57)【要約】【課題】ＭＰＬＳ−ＶＰＮサービスを構成する複数のプロトコルで構成されたＭＰＬＳ−ＶＰＮネットワーク全体を管理および監視できること。【解決手段】複数の個別ネットワークを識別子を用いて相互に関連付けするサービス構成情報管理部２１と、複数の個別ネットワークの情報を格納するサービス構成情報データベース２１ａと、複数の個別ネットワークにそれぞれ配置されたルータの識別情報、接続情報およびプロトコルの情報を管理する構成情報データベース２２ａ，２３ａ，２４ａと、個別ネットワークに配置されたルータに対する設定を行う複数の構成情報管理部２２，２３，２４とを備える。【選択図】        図２
2006025159.tif 000002
【特許請求の範囲】
【請求項１】
それぞれ異なるプロトコルにより運用される複数の個別ネットワークを経由した通信サービスを行うネットワークを管理するネットワーク管理装置において、
前記ネットワークの全体を構成している複数の前記個別ネットワークのそれぞれを、識別子を用いて相互に関連付けするサービス構成情報管理手段と、
前記サービス構成情報管理手段により関連付けされた複数の前記個別ネットワークの情報を格納するサービス構成情報格納手段と、
複数の前記個別ネットワークにそれぞれ配置されたルータの識別情報、接続情報およびプロトコルの情報を、前記複数のネットワーク毎に管理する複数の個別構成情報格納手段と、
複数の前記個別構成情報格納手段に格納されたルータの識別情報、接続情報およびプロトコルに基づいて、該当する前記個別ネットワークに配置された前記ルータに対する設定を行う複数の個別構成情報管理手段と、
を備えたことを特徴とするネットワーク管理装置。
【請求項２】
前記識別子と、前記ルータの識別情報、接続情報およびプロトコルの情報を操作入力する操作手段を備え、
前記サービス構成情報管理手段は、前記操作手段によって入力される複数の情報を、前記ネットワークの全体を用いた所定の通信サービス名を単位として前記関連付けを行うことを特徴とする請求項１に記載のネットワーク管理装置。
【請求項３】
前記サービス構成情報管理手段によって管理された情報を表示する表示手段を備え、
前記サービス構成情報管理手段は、複数の前記個別構成情報管理手段がそれぞれ管理する情報を、前記通信サービス毎に前記表示手段に表示出力することを特徴とする請求項２に記載のネットワーク管理装置。
【請求項４】
それぞれ異なるプロトコルにより運用される複数の個別ネットワークを経由した通信サービスを行うネットワーク全体のネットワーク構成を管理するネットワーク管理方法において、
前記ネットワーク全体を構成している前記複数の個別ネットワークのそれぞれを、識別子を用いて相互に関連付けする関連付け工程と、
前記複数の個別ネットワークにそれぞれ配置されたルータの識別情報、接続情報およびプロトコルの情報に基づいて、該当する前記個別ネットワーク毎に、当該個別ネットワークに配置された前記ルータに対する設定を行う設定工程と、
を含むことを特徴とするネットワーク管理方法。
【請求項５】
プログラムの実行により、それぞれ異なるプロトコルで運用される複数の個別ネットワークを経由した通信サービスを行うネットワーク全体のネットワーク構成を管理させるプログラムにおいて、
前記プログラムは、当該プログラムを実行するコンピュータに対し、
前記ネットワーク全体を構成している複数の前記個別ネットワークのそれぞれを、識別子を用いて相互に関連付けさせ、
複数の前記個別ネットワークにそれぞれ配置されたルータの識別情報、接続情報およびプロトコルの情報に基づいて、該当する前記個別ネットワーク毎に、当該個別ネットワークに配置された前記ルータに対する設定を行わせることを特徴とするネットワーク管理プログラム。
【発明の詳細な説明】
【技術分野】
【０００１】
この発明は、ＩＰネットワークにおいて複数のプロトコルで構成されるネットワークサービスの管理および監視を行うネットワーク管理装置、ネットワーク管理方法およびネットワーク管理プログラムに関する。
【背景技術】
【０００２】
従来、ネットワーク管理システムの技術は、ＶＬＡＮ−ＶＰＮ管理、ＭＰＬＳ−ＶＰＮ管理、ＬＳＰ管理等がある。ＶＰＮとは「Ｖｉｒｔｕａｌ  Ｐｒｉｖａｔｅ  Ｎｅｔｗｏｒｋ」を表し、ＶＬＡＮとは「Ｖｉｒｔｕａｌ  ＬＡＮ」を表し、ＭＰＬＳとは「Ｍｕｌｔｉ−ｐｒｏｔｏｃｏｌ  Ｌａｂｅｌ  Ｓｗｉｔｃｈｉｎｇ」を表し、ＬＳＰとは「Ｌａｂｅｌ  Ｓｗｉｔｃｈｉｎｇ  Ｐａｔｈ」を表している。
【０００３】
図２９は、従来のネットワーク管理システムの構成を示す図である。末端のユーザネットワーク１０２は、ＣＥルータ１１１を介してＶＬＡＮ１０３に接続される。ＶＬＡＮ１０３は、ＳＷ１１２を介してＭＰＬＳ１０４に接続される。ＭＰＬＳ１０４は、ＰＥルータ１１３を介してＬＳＰ１０５に接続される。ＬＳＰ１０５は、Ｐルータ１１４と、ＰＥルータ１１３を介して他方のＭＰＬＳ１０４に接続される。ネットワーク管理装置１１５は、ＶＬＡＮ−ＶＰＮ管理と、ＭＰＬＳ−ＶＰＮ管理と、ＬＳＰ管理とをそれぞれ個々に管理・監視していた（例えば、下記特許文献１参照。）。
【０００４】
【特許文献１】特開２００２−１１１６６６号公報
【発明の開示】
【発明が解決しようとする課題】
【０００５】
しかしながら、従来のネットワーク管理装置１１５は、ＭＰＬＳ−ＶＰＮネットワークがＶＬＡＮ、ＭＰＬＳ（ｅＢＧＰ，ＯＳＰＦ，ｓｔａｔｉｃ）、Ｅｔｈｅｒ  ｏｖｅｒ  ＭＰＬＳ、ＬＤＰ、ＲＳＶＰ−ＴＥ等の複数のプロトコルで構成されていても、個々のプロトコル毎の管理・監視を行っていた。このため、１つのＭＰＬＳ−ＶＰＮサービスがＶＬＡＮ、ＭＰＬＳ、ＬＳＰの集合等で構成されている場合であっても、この集合を統合した（Ｅｎｄ  ｔｏ  Ｅｎｄ）管理・監視が行えず、ＭＰＬＳ−ＶＰＮサービス全体を管理・監視することができなかった。
【０００６】
そのために、ルータ障害やサービス障害がどのＭＰＬＳ−ＶＰＮサービスに影響するかが不明となった。また、ＭＰＬＳ−ＶＰＮネットワーク内でのＶＬＡＮ、ＭＰＬＳ、ＬＳＰの対応関係がわからないために、ＭＰＬＳ−ＶＰＮサービスの監視・管理としては不便でかつ不十分であり、障害発生時の対応等を適切に行えなかった。
【０００７】
この発明は、上述した従来技術による問題点を解消するため、ＭＰＬＳ−ＶＰＮサービスを構成する複数のプロトコルで構成されたＭＰＬＳ−ＶＰＮネットワーク全体を管理および監視できるネットワーク管理装置、ネットワーク管理方法およびネットワーク管理プログラムを提供することを目的とする。
【課題を解決するための手段】
【０００８】
上述した課題を解決し、目的を達成するため、この発明は、それぞれ異なるプロトコルにより運用される複数の個別ネットワークを経由した通信サービスを行うネットワークを管理するネットワーク管理装置において、前記ネットワークの全体を構成している複数の前記個別ネットワークのそれぞれを、識別子を用いて相互に関連付けするサービス構成情報管理手段と、前記サービス構成情報管理手段により関連付けされた複数の前記個別ネットワークの情報を格納するサービス構成情報格納手段と、複数の前記個別ネットワークにそれぞれ配置されたルータの識別情報、接続情報およびプロトコルの情報を、前記複数のネットワーク毎に管理する複数の個別構成情報格納手段と、複数の前記個別構成情報格納手段に格納されたルータの識別情報、接続情報およびプロトコルに基づいて、該当する前記個別ネットワークに配置された前記ルータに対する設定を行う複数の個別構成情報管理手段と、を備えたことを特徴とする。
【０００９】
この発明によれば、複数の異なる個別のプロトコルの個別ネットワークにより構成されたネットワークであっても、複数の個別ネットワークを識別子を用いて相互に関連付けし、また、各個別ネットワークにそれぞれ配置されたルータの識別情報、接続情報およびプロトコルの情報を用いて集中管理する。これにより、複数の異なる個別のプロトコルの個別ネットワークにより構成されたネットワークを用いた通信サービスを統括して監視、管理することができる。
【発明の効果】
【００１０】
本発明にかかるネットワーク管理装置、ネットワーク管理方法およびネットワーク管理プログラムによれば、複数の異なる個別のプロトコルの個別ネットワークにより構成されたネットワーク全体の管理および監視を容易に行えるという効果を奏する。そして、このネットワーク全体を使用した通信サービスの障害発生を早期発見でき、直ちに障害対策を実施できるという効果を奏する。
【発明を実施するための最良の形態】
【００１１】
以下に添付図面を参照して、この発明にかかるネットワーク管理装置、ネットワーク管理方法およびネットワーク管理プログラムの好適な実施の形態を詳細に説明する。
【００１２】
（実施の形態１）
はじめに、この発明の実施の形態１について説明する。図１は、実施の形態１のネットワーク管理装置が管理するＭＰＬＳ−ＶＰＮネットワークを示す図である。図示のＭＰＬＳ−ＶＰＮネットワーク１は、ユーザネットワーク２と、ＶＬＡＮ３と、ＭＰＬＳ４と、ＬＳＰ５とにより構成されている。
【００１３】
末端のユーザネットワーク２は、ＣＥルータ１１を介してＶＬＡＮ３に接続される。ＶＬＡＮ３は、ＳＷ１２を介してＭＰＬＳ４に接続される。ＭＰＬＳ４は、ＰＥルータ１３を介してＬＳＰ５に接続される。ＬＳＰ５は、ＰＥルータ１３とＰルータ１４を介して他方のＭＰＬＳ４に接続される。ネットワーク管理装置１５は、これらＭＰＬＳ−ＶＰＮネットワーク１に対するＶＬＡＮ−ＶＰＮ管理と、ＭＰＬＳ−ＶＰＮ管理と、ＬＳＰ管理とを統括して管理・監視する。
【００１４】
図２は、実施の形態１によるネットワーク管理装置の構成を示すブロック図である。ネットワーク管理装置１５は、ネットワーク全体のサービス構成情報を管理するサービス構成情報管理部２１と、ネットワーク全体のサービス構成情報を格納するサービス構成情報データベース（ＤＢ）２１ａと、ＶＬＡＮ３の構成情報を管理するＶＬＡＮ構成情報管理部２２と、ＶＬＡＮ３の構成情報を格納するＶＬＡＮ構成情報データベース（ＤＢ）２２ａと、ＭＰＬＳ４の構成情報を管理するＭＰＬＳ構成情報管理部２３と、ＭＰＬＳ４の構成情報を格納するＭＰＬＳ構成情報データベース（ＤＢ）２３ａと、ＬＳＰ５の構成情報を管理するＬＳＰ構成情報管理部２４と、ＬＳＰ５の構成情報を格納するＬＳＰ構成情報データベース（ＤＢ）２４ａとを備えている。保守者は、操作部２６を介してサービス構成情報に必要な各種情報を操作入力し、各構成情報管理部２１〜２４は、この操作入力に基づいてサービス構成情報を作成し、データベース２１ａ〜２４ａにそれぞれの構成情報を格納し、ネットワーク全体を管理する。
【００１５】
次に、上記構成によるネットワーク構成情報の管理の概要について説明する。はじめに、保守者は、操作部２６を操作してネットワーク管理装置１５に「ＭＰＬＳ−ＶＰＮサービス構成情報登録」を行う（ステップＳ１）。この際、「ＭＰＬＳ−ＶＰＮサービス識別子」と「サービス名」を入力する。これにより、ネットワーク管理装置１５のサービス構成情報管理部２１は、入力された「ＭＰＬＳ−ＶＰＮサービス識別子」と「サービス名」をサービス構成情報データベース２１ａに登録する（ステップＳ２）。
【００１６】
次に、保守者は、操作部２６を操作してネットワーク管理装置１５に「ＬＳＰ構成情報登録」を行う（ステップＳ３）。この際、「ＭＰＬＳ−ＶＰＮサービス識別子」、「ＬＳＰ識別子」、「接続構成情報」、「プロトコル」を入力する。これにより、ネットワーク管理装置１５のサービス構成情報管理部２１は、サービス構成情報データベース２１ａに入力されている「ＭＰＬＳ−ＶＰＮサービス識別子」をキーに「ＬＳＰ識別子」をサービス構成情報データベース２１ａに登録する（ステップＳ４）。これによって、サービス構成情報データベース２１ａには、「サービス識別子」と「ＬＳＰ識別子」の対応関係が登録される。
【００１７】
また、ネットワーク管理装置１５のＬＳＰ構成情報管理部２４は、「ＭＰＬＳ−ＶＰＮサービス識別子」、「ＬＳＰ識別子」、「接続構成情報」、「プロトコル」をＬＳＰ構成情報管理データベース２４ａに登録する（ステップＳ５）。そして、ネットワーク管理装置１５のＬＳＰ構成情報管理部２４は、入力された構成管理情報より、ＭＰＬＳ−ＶＰＮネットワーク１のＰＥルータ１３とＰルータ１４にＬＳＰ５のプロビジョニング（設定）を行う（ステップＳ６）。
【００１８】
この後、保守者が操作部２６を操作してネットワーク管理装置１５に「ＭＰＬＳ構成情報登録」を行う（ステップＳ７）。この際、「ＭＰＬＳ−ＶＰＮサービス識別子」、「ＭＰＬＳ識別子」、「ＰＥ情報」、「ＣＥ情報」「接続構成情報」、「プロトコル」を入力する。これにより、ネットワーク管理装置１５のサービス構成情報管理部２１は、サービス構成情報データベース２１ａに入力されている「ＭＰＬＳ−ＶＰＮサービス識別子」をキーに、「ＭＰＬＳ識別子」をサービス構成情報データベース２１ａに登録する（ステップＳ８）。これによって、サービス構成情報データベース２１ａには、「サービス識別子」、「ＬＳＰ識別子」、「ＭＰＬＳ識別子」の対応関係が登録される。
【００１９】
ネットワーク管理装置１５のＭＰＬＳ構成情報管理部２３は、「ＭＰＬＳ−ＶＰＮサービス識別子」、「ＭＰＬＳ識別子」、「ＰＥ情報」、「ＣＥ情報」「接続構成情報」、「プロトコル」をＭＰＬＳ構成情報データベース２１ａに登録する（ステップＳ９）。そして、ネットワーク管理装置１５のＭＰＬＳ構成情報管理部２３は、入力された構成管理情報より、ＭＰＬＳ−ＶＰＮネットワーク１のＰＥルータ１３にＭＰＬＳ４のプロビジョニング（設定）を行う（ステップＳ１０）。
【００２０】
この後、保守者が操作部２６を操作してネットワーク管理装置１５に「ＶＬＡＮ構成情報登録」を行う（ステップＳ１１）。この際、「ＭＰＬＳ−ＶＰＮサービス識別子」、「ＶＬＡＮ識別子」、「ＰＥ情報」、「ＣＥ情報」「接続構成情報」を入力する。これにより、ネットワーク管理装置１５のサービス構成情報管理部２１は、サービス構成情報データベース２１ａに入力されている「ＭＰＬＳ−ＶＰＮサービス識別子」をキーに「ＶＬＡＮ識別子」をサービス構成情報データベース２１ａに登録する（ステップＳ１２）。これによって、サービス構成情報データベース２１ａには、「ＭＰＬＳ−ＶＰＮサービス識別子」、「ＬＳＰ識別子」、「ＭＰＬＳ識別子」、「ＶＬＡＮ識別子」の対応関係が登録される。
【００２１】
また、ネットワーク管理装置１５のＶＬＡＮ構成情報管理部２２は、「ＭＰＬＳ−ＶＰＮサービス識別子」、「ＶＬＡＮ識別子」、「ＰＥ情報」、「ＣＥ情報」「接続構成情報」をＶＬＡＮ構成情報データベース２２ａに登録する（ステップＳ１３）。そして、ネットワーク管理装置１５のＶＬＡＮ構成情報管理部２２は、入力された構成管理情報により、ＭＰＬＳ−ＶＰＮネットワーク１のＳＷ１２とＣＥルータ１１にＶＬＡＮ３のプロビジョニング（設定）を行う（ステップＳ１４）。
【００２２】
次に、ネットワーク構成情報の管理の具体例について説明する。図３〜５は、実施の形態１によるネットワーク構成情報の管理処理の手順を示すシーケンス図である。これらの図において、図２と同一の処理内容には、同一のステップ番号を附してある。
【００２３】
はじめに、図３に示すように、保守者は、操作部２６を操作してネットワーク管理装置１５の図示しない表示部の表示画面（ＧＵＩ）に従い、ＭＰＬＳ−ＶＰＮサービス構成情報登録を実施する（ステップＳ１）。具体的には、ネットワーク管理装置１５のサービス構成情報管理部２１は、サービス構成情報データベース２１ａに、サービス名＝サービスＡ、ＭＰＬＳ−ＶＰＮサービス構成情報識別子＝２を登録する（ステップＳ２）。図６−１は、サービス構成情報データベースの情報を示す図表である。ステップＳ２の実行により、サービス構成情報データベース２１ａには、サービス名＝サービスＡ、ＭＰＬＳ−ＶＰＮサービス構成情報識別子＝２が登録される。
【００２４】
次に、ネットワーク管理装置１５のＧＵＩに従い、ＬＳＰ構成情報登録を実施する（ステップＳ３）。これにより、ネットワーク管理装置１５のサービス構成情報管理部２１は、サービス構成情報データベース２１ａのＭＰＬＳ−ＶＰＮサービス構成情報識別子＝２に対応するフィールドにＬＳＰ識別子＝３を登録する（ステップＳ４）。図６−２は、サービス構成情報データベースの情報を示す図表である。ステップＳ４の実行により、サービス構成情報データベース２１ａには、ＭＰＬＳ−ＶＰＮサービス構成情報識別子＝２に対応するフィールドにＬＳＰ識別子＝３が登録される。
【００２５】
そして、サービス構成情報管理部２１は、ＬＳＰ構成情報管理部２４のＬＳＰ構成情報登録を起動させる。ＬＳＰ構成情報管理部２４は、ＬＳＰ構成情報データベース２４ａにＬＳＰ識別子＝３、ＭＰＬＳ−ＶＰＮサービス構成情報識別子＝２、プロトコル＝ＬＤＰ、接続構成情報にＬＳＰを構成するルータの識別情報、インタフェース種別、接続構成情報を登録する（ステップＳ５）。図６−３は、ＬＳＰ構成情報データベースの情報を示す図表である。ステップＳ５の実行により、ＬＳＰ構成情報データベース２４ａには、ＬＳＰ識別子＝３、ＭＰＬＳ−ＶＰＮサービス構成情報識別子＝２、プロトコル＝ＬＤＰ、接続構成情報にＬＳＰを構成するＰルータ１４、ＰＥルータ１３の識別情報、インタフェース種別、などが格納される。
【００２６】
この後、ＬＳＰ構成情報管理部２４は、ＬＳＰ５のプロビジョニング（設定）を行う。具体的には、ＬＳＰ５を構成するＰルータ１４、ＰＥルータ１３にｔｅｌｎｅｔでログインする。そして、図６−３に示したＬＳＰ構成情報を元にルータコマンドを編集して（ステップＳ６）、Ｐルータ１４、ＰＥルータ１３にＬＳＰ設定を行う（ステップＳ６ａ）。
【００２７】
次に、図４に示すように、ネットワーク管理装置１５のＧＵＩに従い、ＭＰＬＳ構成情報登録を実施する（ステップＳ７）。具体的には、ネットワーク管理装置１５のサービス構成情報管理部２１は、サービス構成情報データベース２１ａのＭＰＬＳ−ＶＰＮサービス構成情報識別子＝２に対応するフィールドにＭＰＬＳ識別子＝１０を登録する（ステップＳ８）。図７−１は、サービス構成情報データベースの情報を示す図表である。ステップＳ８の実行により、サービス構成情報データベース２１ａには、ＭＰＬＳ−ＶＰＮサービス構成情報識別子＝２に対応するフィールドにＭＰＬＳ識別子＝１０が登録される。
【００２８】
そして、サービス構成情報管理部２１は、ＭＰＬＳ構成情報管理部２３のＭＰＬＳ構成情報登録を起動させる（ステップＳ９）。ＭＰＬＳ構成情報管理部２３は、ＭＰＬＳ構成情報データベース２３ａにＭＰＬＳ識別子＝１０、ＭＰＬＳ−ＶＰＮサービス構成情報識別子＝２、プロトコル＝ｅＢＧＰ、ＰＥ情報としてＰＥルータ１３の識別情報、インタフェース種別、接続構成情報、ＣＥ情報にＣＥルータ１１の識別情報、インタフェース種別、接続構成情報を登録する。図７−２は、ＭＰＬＳ構成情報データベースの情報を示す図表である。ステップＳ９の実行により、ＭＰＬＳ構成情報データベース２３ａには、ＭＰＬＳ識別子＝１０、ＭＰＬＳ−ＶＰＮサービス構成情報識別子＝２、プロトコル＝ｅＢＧＰ、ＰＥ情報としてＰＥルータ１３の識別情報Ａ、インタフェース種別、接続構成情報、ＣＥ情報にＣＥルータ１１の識別情報Ｂ、インタフェース種別、接続構成情報が登録される。
【００２９】
この後、ＭＰＬＳ構成情報管理部２３は、ＭＰＬＳ４のプロビジョニング（設定）を行う。具体的には、ＭＰＬＳ４を構成するＰＥルータ１３にｔｅｌｎｅｔでログインする。そして、図７−２に示したＭＰＬＳ構成情報を元にルータコマンドを編集して（ステップＳ１０）、ＰＥルータ１３にＭＰＬＳ設定を行う（ステップＳ１０ａ）。
【００３０】
次に、図５に示すように、ネットワーク管理装置１５のＧＵＩに従い、ＶＬＡＮ構成情報登録を実施する（ステップＳ１１）。具体的には、ネットワーク管理装置１５のサービス構成情報管理部２１は、サービス構成情報データベース２１ａのＭＰＬＳ−ＶＰＮサービス構成情報識別子＝２に対応するフィールドにＶＬＡＮ識別子＝２５を登録する（ステップＳ１２）。図８−１は、サービス構成情報データベースの情報を示す図である。ステップＳ１２の実行により、サービス構成情報データベース２１ａには、ＭＰＬＳ−ＶＰＮサービス構成情報識別子＝２に対応するフィールドにＶＬＡＮ識別子＝２５が登録される。
【００３１】
そして、サービス構成情報管理部２１は、ＶＬＡＮ構成情報管理部２２のＶＬＡＮ構成情報登録を起動させる（ステップＳ１３）。ＶＬＡＮ構成情報管理部２２は、ＶＬＡＮ構成情報データベース２２ａにＶＬＡＮ識別子＝２５、ＭＰＬＳ−ＶＰＮサービス構成情報識別子＝２、ＰＥ情報にＰＥルータの識別情報、インタフェース種別、接続構成情報、ＣＥ情報にＣＥルータの識別情報、インタフェース種別、接続構成情報を登録する。図８−２は、ＶＬＡＮ構成情報データベースの情報を示す図表である。ステップＳ１３の実行により、ＶＬＡＮ構成情報データベース２２ａには、ＶＬＡＮ識別子＝２５、ＭＰＬＳ−ＶＰＮサービス構成情報識別子＝２、ＰＥ情報としてＰＥルータ１３の識別情報Ａ、インタフェース種別、接続構成情報として接続構成Ａ、ＣＥ情報としてＣＥルータ１１の識別情報Ｂ、インタフェース種別、接続構成情報が登録される。
【００３２】
この後、ＶＬＡＮ構成情報管理部２２は、ＶＬＡＮ３のプロビジョニング（設定）を行う。具体的には、ＶＬＡＮ３を構成するＰＥルータ１３にｔｅｌｎｅｔでログインする。そして、ＶＬＡＮ構成情報を元にルータコマンドを編集して（ステップＳ１４）、ＰＥルータ１３にＶＬＡＮ設定を行う（ステップＳ１４ａ）。
【００３３】
以上説明した実施の形態１によれば、ネットワーク管理装置１５により、ＭＰＬＳ−ＶＰＮサービス全体を管理することができる。ＶＬＡＮ３と、ＭＰＬＳ４と、ＬＳＰ５との間の接続関係を統括した集中管理が行えるようになるため、末端のユーザネットワーク２，２のユーザ間の接続状態を把握（Ｅｎｄ  ｔｏ  Ｅｎｄの管理）できるようになる。
【００３４】
（実施の形態２）
次に、この発明の実施の形態２について説明する。図９は、実施の形態２によるネットワーク管理装置の構成を示すブロック図である。実施の形態２は、ネットワークの構成情報を表示するものであり、新たに表示部３０を備える。他の構成は、実施の形態１と同様である。以下の説明では、実施の形態１において説明したネットワークの構成情報が登録済みであることとする。
【００３５】
まず、保守者は、操作部２６を操作してネットワーク管理装置１５に対して、既に登録済みであるサービス画面のサービス名を指定する。表示部３０のサービス画面上には、不図示のメニュー画面が表示されており、このメニューに従い、ＭＰＬＳ−ＶＰＮサービス構成情報（接続構成）の読出しを指示する（ステップＳ２１）。これにより、ネットワーク管理装置１５のサービス構成情報管理部２１は、操作部２６により指定されたサービスのＭＰＬＳ−ＶＰＮ識別子に基づき、サービス構成情報データベース２１ａからＬＳＰ識別子、ＭＰＬＳ識別子、ＶＬＡＮ識別子を収集する（ステップＳ２２）。
【００３６】
次に、サービス構成情報管理部２１は、ＬＳＰ構成情報管理部２４にＬＳＰ識別子を渡す。これにより、ＬＳＰ構成情報管理部２４は、ＬＳＰ構成情報データベース２４ａにＬＳＰ識別子を渡してＬＳＰ構成管理情報を収集し、サービス構成情報管理部２１にＬＳＰ構成管理情報を返す（ステップＳ２３）。次に、サービス構成情報管理部２１は、ＭＰＬＳ構成情報管理部２３にＭＰＬＳ識別子を渡す。これにより、ＭＰＬＳ構成情報管理部２３は、ＭＰＬＳ構成情報データベース２３ａにＭＰＬＳ識別子を渡してＭＰＬＳ構成管理情報を収集し、サービス構成情報管理部２１にＭＰＬＳ構成管理情報を返す（ステップＳ２４）。次に、サービス構成情報管理部２１は、ＶＬＡＮ構成情報管理部２２にＶＬＡＮ識別子を渡す。これにより、ＶＬＡＮ構成情報管理部２２は、ＶＬＡＮ構成情報データベース２２ａにＶＬＡＮ識別子を渡してＶＬＡＮ構成管理情報を収集し、サービス構成情報管理部２１にＶＬＡＮ構成管理情報を返す（ステップＳ２５）。
【００３７】
そして、サービス構成情報管理部２１は、収集したＬＳＰ５の構成管理情報、ＭＰＬＳ４の構成管理情報、ＶＬＡＮ３の構成管理情報を元にＥｎｄ  ｔｏ  Ｅｎｄの接続構成を表示部３０の表示画面に表示する（ステップＳ２６）。
【００３８】
図１０は、表示部上に表示されるネットワークの接続構成情報を示す図表である。図示のように、表示画面３０ａ上には、ＬＳＰ構成管理情報と、ＭＰＬＳ構成管理情報と、ＶＬＡＮ構成管理情報とに基づいて、ＣＥルータ１１（１１ａ〜１１ｆ）と、ＳＷ１２（１２ａ〜１２ｆ）と、ＰＥルータ１３（１３ａ〜１３ｄ）と、Ｐルータ１４（１４ａ，１４ｂ）のそれぞれの接続状態が結線状態でイメージ化して表示される。
【００３９】
次に、図１１は、実施の形態２のネットワーク管理装置に障害情報管理の機能を追加した構成を示すブロック図である。図１１には、ネットワークに障害が発生したときに、この障害情報を収集し、表示部３０に表示する構成を記載してある。なお、図１１に記載した各構成部は、図９と同様である。図１１では、障害情報管理部３１を新たに備える。
【００４０】
まず、保守者は、操作部２６を操作してネットワーク管理装置１５に対して、既に登録済みであるサービス画面のサービス名を指定する。表示部３０のサービス画面上には、不図示のメニュー画面が設けられており、このメニューに従い、ＭＰＬＳ−ＶＰＮサービス構成における状態読出しを指示する（ステップＳ３１）。
【００４１】
これにより、ネットワーク管理装置１５のサービス構成情報管理部２１は、指定されたサービスのＭＰＬＳ−ＶＰＮ識別子をサービス構成情報データベース２１ａに入力して、ＬＳＰ識別子、ＭＰＬＳ識別子、ＶＬＡＮ識別子を収集する（ステップＳ３２）。
【００４２】
この後、サービス構成情報管理部２１は、ＬＳＰ構成情報管理部２４にＬＳＰ識別子を渡す。ＬＳＰ構成情報管理部２４は、ＬＳＰ構成情報データベース２４ａにＬＳＰ識別子を渡してＬＳＰ構成管理情報を収集し、サービス構成情報管理部２１にＬＳＰ構成管理情報を返す（ステップＳ３３）。また、サービス構成情報管理部２１は、ＭＰＬＳ構成情報管理部２３にＭＰＬＳ識別子を渡す。ＭＰＬＳ構成情報管理部２３は、ＭＰＬＳ構成情報データベース２３ａにＭＰＬＳ識別子を渡してＭＰＬＳ構成管理情報を収集し、サービス構成情報管理部２１にＭＰＬＳ構成管理情報を返す（ステップＳ３４）。また、サービス構成情報管理部２１は、ＶＬＡＮ構成情報管理部２２にＶＬＡＮ識別子を渡す。ＶＬＡＮ構成情報管理部２２は、ＶＬＡＮ構成情報データベース２２ａにＶＬＡＮ識別子を渡し、ＶＬＡＮ構成管理情報を収集してサービス構成情報管理部２１にＶＬＡＮ構成管理情報を返す（ステップＳ３５）。
【００４３】
そして、サービス構成情報管理部２１は、障害情報管理部３１を起動させて障害情報収集を行わせる。サービス構成情報管理部２１は、ＬＳＰ構成管理情報と、ＭＰＬＳ構成管理情報と、ＶＬＡＮ構成管理情報を渡して、各構成管理情報にあるルータやリンクの状態情報を収集させる（ステップＳ３６）。この後、サービス構成情報管理部２１は、収集したＬＳＰ５の構成管理情報、ＭＰＬＳ４の構成管理情報、ＶＬＡＮ３の構成管理情報と、各構成情報内のルータやリンク状態の情報を表示部３０の表示画面３０ａ（図１０参照）に表示する（ステップＳ３７）。
【００４４】
表示部３０の表示画面３０ａ上では、例えば、正常動作している箇所と、障害発生箇所とを異なる表示色で表示するようになっている。図１０に示した例では、ＰＥルータ１３ｃ（箇所Ａ）に障害が発生したとき、このＰＥルータ１３ｃを赤色で表示する。その他のルータ（ＣＥルータ１１，ＳＷ１２，ＰＥルータ１３（１３ａ，１３ｂ，１３ｄ），Ｐルータ１４）は緑色で表示される。障害発生箇所は、表示色を変更するに限らず、表示を点滅させるなど、他の表示形態としてもよい。
【００４５】
図１２および図１３は、実施の形態２によるネットワーク構成情報の表示処理の手順を示すシーケンス図である。これらの図において、図９および図１０に記載した処理と同一の処理内容には、同一のステップ番号を附してある。
【００４６】
はじめに、図１２に示すように、保守者は、操作部２６を操作してネットワーク管理装置１５の表示部３０に表示されているサービス画面からサービス名を指定し、構成情報読出しを指示する。そのときにネットワーク管理装置１５にＭＰＬＳ−ＶＰＮサービス識別子＝２が引き継がれる（ステップＳ２１）。
【００４７】
次に、ネットワーク管理装置１５のサービス構成情報管理部２１は、サービス構成情報データベース２１ａからＭＰＬＳ−ＶＰＮサービス識別子＝２に対応するＬＳＰ／ＭＰＬＳ／ＶＬＡＮ識別子を収集する（ステップＳ２２）。図１４−１は、サービス構成情報データベースの情報を示す図表である。ステップＳ２２の実行により、サービス構成情報データベース２１ａからＭＰＬＳ−ＶＰＮサービス識別子＝２に対応するＬＳＰ識別子＝３，ＭＰＬＳ識別子＝１０，ＶＬＡＮ識別子２５をそれぞれ収集する。
【００４８】
次に、サービス構成情報管理部２１は、ＬＳＰ構成情報管理部２４にＬＳＰ識別子＝３を渡してＬＳＰ構成情報収集を実施する。ＬＳＰ構成情報管理部２４は、ＬＳＰ構成情報データベース２４ａからＬＳＰ識別子＝３に対応する接続構成情報（Ｐ／ＰＥルータ識別情報、インタフェース情報、接続構成情報など）と、プロトコルを収集し、サービス構成情報管理部２１に引き継ぐ（ステップＳ２３）。図１４−２は、ＬＳＰ構成情報データベースの情報を示す図表である。ステップＳ２３の実行により、ＬＳＰ構成情報データベース２４ａからＬＳＰ識別子＝３に対応する接続構成情報（Ｐ／ＰＥルータ識別情報、インタフェース情報、接続構成情報など）と、プロトコル＝ＬＤＰをそれぞれ収集する。
【００４９】
次に、サービス構成情報管理部２１は、ＭＰＬＳ構成情報管理部２３にＭＰＬＳ識別子＝１０を渡してＭＰＬＳ構成情報収集を実施する。ＭＰＬＳ構成情報管理部２３は、ＭＰＬＳ構成情報データベース２３ａからＭＰＬＳ識別子＝１０に対応するＰＥ情報とＣＥ情報（ルータ識別情報、インタフェース情報、接続構成情報など）と、プロトコルを収集し、サービス構成情報管理部２１に引き継ぐ（ステップＳ２４）。図１４−３は、ＭＰＬＳ構成情報データベースの情報を示す図表である。ステップＳ２４の実行により、ＭＰＬＳ構成情報データベース２３ａからＭＰＬＳ識別子＝１０に対応するＰＥ情報とＣＥ情報（ルータ識別情報、インタフェース情報、接続構成情報など）と、プロトコルを収集する。
【００５０】
次に、図１３に示すように、サービス構成情報管理部２１は、ＶＬＡＮ構成情報管理部２２にＶＬＡＮ識別子＝２５を渡してＶＬＡＮ構成情報収集を実施する。ＶＬＡＮ構成情報管理部２２は、ＶＬＡＮ構成情報データベース２２ａからＶＬＡＮ識別子＝２５に対応するＰＥ情報とＣＥ情報（ルータ識別情報、インタフェース情報、接続構成情報など）と接続構成を収集し、サービス構成情報管理部２１に引き継ぐ（ステップＳ２５）。図１４−４は、ＶＬＡＮ構成情報データベースの情報を示す図表である。ステップＳ２５の実行により、ＶＬＡＮ構成情報データベース２２ａからＶＬＡＮ識別子＝２５に対応するＰＥ情報Ａと、ＣＥ情報Ｂ（ルータ識別情報、インタフェース情報、接続構成情報など）と、接続構成Ａを収集する。
【００５１】
以上の処理によって、サービス構成情報管理部２１は、収集したＬＳＰ構成管理情報、ＭＰＬＳ構成管理情報、ＶＬＡＮ構成管理情報を元にＥｎｄ  ｔｏ  Ｅｎｄの接続構成を表示部３０の表示画面３０ａ上に表示することができる（図９のステップＳ２６の処理）。上記の各処理におけるステップＳ２１〜Ｓ２５の処理は、図９に示したステップ番号を附した。これらステップＳ２１〜Ｓ２５の処理は、図１１におけるステップＳ３１〜Ｓ３５の処理と同様である。
【００５２】
この後、障害発生時には、図１１に示した障害情報管理部３１が起動する。まず、サービス構成情報管理部２１は、障害情報管理部３１にＬＳＰ／ＭＰＬＳ／ＶＬＡＮ構成情報を渡す（ステップＳ３６）。障害情報管理部３１は、構成情報に含まれているルータやリンクの障害状態を返送する。この後、サービス構成情報管理部２１は、ＬＳＰ／ＭＰＬＳ／ＶＬＡＮ構成情報と状態情報を表示部３０の表示画面上にＥｎｄ  ｔｏ  Ｅｎｄの接続状態で表示する（ステップＳ３７）。この際、図１０に示すように、障害発生箇所Ａは、赤色等の表示色で表示され、障害発生箇所を容易に特定できる。
【００５３】
以上説明した実施の形態２によれば、ネットワークに属するルータ個々の接続状態を表示部にイメージ化して表示されるため、ネットワーク全体の接続状態を容易に把握でき、管理を容易化できるようになる。また、障害発生箇所を目立つよう表示でき、容易に障害発生箇所を特定できるようになる。
【００５４】
（実施の形態３）
次に、この発明の実施の形態３について説明する。図１５は、実施の形態３のネットワーク管理装置が管理するＭＰＬＳ−ＶＰＮネットワークを示す図である。図示のＭＰＬＳ−ＶＰＮネットワーク４０は、ユーザネットワーク２と、ＶＬＡＮ３と、ＭＰＬＳ４と、ＲＳＶＰ−ＴＥ４１とにより構成されている。実施の形態１（図１参照）との相違は、ＰＥ−ＰＥ間がＬＳＰ５ではなくＲＳＶＰ−ＴＥ４１となっている。従って、ネットワーク管理装置１５は、これらＭＰＬＳ−ＶＰＮネットワーク４０に対するＶＬＡＮ−ＶＰＮ管理と、ＭＰＬＳ−ＶＰＮ管理と、ＲＳＶＰ−ＴＥ管理とを統括して管理・監視する。
【００５５】
図１６は、実施の形態３によるネットワーク管理装置の構成を示すブロック図である。以下、実施の形態１と異なる構成についてのみ説明を行い、同様の処理内容については、図１記載のステップ番号を附して説明を省略する。図１に示したＬＳＰ構成情報管理部２４とＬＳＰ構成情報データベース２４ａに代えて、ＲＳＶＰ−ＴＥ構成情報管理部４３とＲＳＶＰ−ＴＥ構成情報データベース４３ａとを備えている。
【００５６】
ステップＳ１，Ｓ２は、図２同様の処理を行う。次に、保守者は、操作部２６を介してネットワーク管理装置１５に「ＲＳＶＰ−ＴＥ構成管理情報登録」を行う。具体的には、「ＭＰＬＳ−ＶＰＮサービス識別子」、「ＲＳＶＰ−ＴＥ識別子」、「接続構成」、「プロトコル」を入力する（ステップＳ３ｂ）。これにより、ネットワーク管理装置１５のサービス構成情報管理部２１は、サービス構成情報データベース２１ａに入力されている「ＭＰＬＳ−ＶＰＮサービス識別子」をキーに「ＲＳＶＰ−ＴＥ識別子」をサービス構成情報データベース２１ａに登録する（ステップＳ４ｂ）。これによって、サービス構成情報データベース２１ａには、「サービス識別子」と「ＲＳＶＰ−ＴＥ識別子」の対応関係が登録される。
【００５７】
次に、ネットワーク管理装置１５のＲＳＶＰ−ＴＥ構成情報管理部４３は、「ＭＰＬＳ−ＶＰＮサービス識別子」、「ＲＳＶＰ−ＴＥ識別子」、「接続構成情報」、「プロトコル」をＲＳＶＰ−ＴＥ構成情報データベース４３ａに登録する（ステップＳ５ｂ）。そして、ネットワーク管理装置１５のＲＳＶＰ−ＴＥ構成情報管理部４３は、入力された構成管理情報より、ＭＰＬＳ−ＶＰＮネットワークのＰＥルータ１３と、Ｐルータ１４にＲＳＶＰ−ＴＥ４１のプロビジョニング（設定）を行う（ステップＳ６ｂ）。この後のステップＳ７〜Ｓ１４の処理は、図２と同様である。
【００５８】
図１７〜１９は、実施の形態３によるネットワーク構成情報の管理処理の手順を示すシーケンス図である。これらの図において、図３〜５と同一の処理内容には、同一のステップ番号を附してある。
【００５９】
はじめに、図１７に示すように、保守者は、操作部２６を操作してネットワーク管理装置１５にＭＰＬＳ−ＶＰＮサービス構成情報登録を実施する（ステップＳ１）。これにより、ネットワーク管理装置１５のサービス構成情報管理部２１は、サービス構成情報データベース２１ａにサービス名＝サービスＡ，ＭＰＬＳ−ＶＰＮサービス構成情報識別子＝２を登録する（ステップＳ２）。図２０−１は、サービス構成情報データベースの情報を示す図表である。ステップＳ２の実行により、サービス構成情報データベース２１ａには、サービス名＝サービスＡ、ＭＰＬＳ−ＶＰＮサービス構成情報識別子＝２が登録される。
【００６０】
次に、保守者は、操作部２６を操作してネットワーク管理装置１５にＲＳＶＰ−ＴＥ構成情報登録を実施する（ステップＳ３ｂ）。これにより、ネットワーク管理装置１５のサービス構成情報管理部２１は、サービス構成情報データベース２１ａのＭＰＬＳ−ＶＰＮサービス構成情報識別子＝２に対応するフィールドにＲＳＶＰ−ＴＥ識別子＝３を登録する（ステップＳ４ｂ）。図２０−２は、サービス構成情報データベースの情報を示す図表である。ステップＳ４ｂの実行により、サービス構成情報データベース２１ａには、ＭＰＬＳ−ＶＰＮサービス構成情報識別子＝２に対応するフィールドにＲＳＶＰ−ＴＥ識別子＝３が登録される。
【００６１】
そして、サービス構成情報管理部２１は、ＲＳＶＰ−ＴＥ構成情報管理部４３のＲＳＶＰ−ＴＥ構成情報登録を起動させる。ＲＳＶＰ−ＴＥ構成情報管理部４３は、ＲＳＶＰ−ＴＥ構成情報データベース４３ａにＲＳＶＰ−ＴＥ識別子＝３、ＭＰＬＳ−ＶＰＮサービス構成情報識別子＝２、プロトコル＝ＲＳＶＰ−ＴＥ、接続構成情報にＲＳＶＰ−ＴＥを構成するルータの識別情報、インタフェース種別、接続構成情報を登録する（ステップＳ５ｂ）。
【００６２】
図２０−３は、ＲＳＶＰ−ＴＥ構成情報データベースの情報を示す図表である。ステップＳ５ｂの実行により、ＲＳＶＰ−ＴＥ構成情報データベース４３ａには、ＲＳＶＰ−ＴＥ識別子＝３、ＭＰＬＳ−ＶＰＮサービス構成情報識別子＝２、プロトコル＝ＲＳＶＰ−ＴＥ、接続構成情報にＲＳＶＰ−ＴＥを構成するＰルータ１４、ＰＥルータ１３の識別情報、インタフェース種別、などが格納される。ＲＳＶＰ−ＴＥ４１は、図１５に示すように、Ｗｏｒｋｉｎｇ  Ｐａｔｈ４１ａと、Ｐｒｏｔｅｃｔｉｏｎ  Ｐａｔｈ４１ｂとを有している。ＲＳＶＰ−ＴＥ構成情報データベース４３ａの接続構成情報には、これらＷｏｒｋｉｎｇ  Ｐａｔｈ４１ａおよびＰｒｏｔｅｃｔｉｏｎ  Ｐａｔｈ４１ｂのそれぞれのＰＥルータ１３と、Ｐルータ１４の接続構成情報が格納されるようになっている。
【００６３】
この後、ＲＳＶＰ−ＴＥ構成情報管理部４３は、ＲＳＶＰ−ＴＥ４１のプロビジョニング（設定）を行う。具体的には、ＲＳＶＰ−ＴＥ４１を構成するＰルータ１４とＰＥルータ１３にｔｅｌｎｅｔでログインし、ＲＳＶＰ−ＴＥ構成情報を元にルータコマンドを編集して（ステップＳ６ｂ）、ＲＳＶＰ−ＴＥ設定を行う（ステップＳ６ｃ）。
【００６４】
この後、図１８に示すように、保守者は操作部２６を操作してネットワーク管理装置１５にＭＰＬＳ構成情報登録を実施する（ステップＳ７）。ネットワーク管理装置１５のサービス構成情報管理部２１は、サービス構成情報データベース２１ａのＭＰＬＳ−ＶＰＮサービス構成情報識別子＝２に対応するフィールドにＭＰＬＳ識別子＝１０を登録する（ステップＳ８）。図２１−１は、サービス構成情報データベースの情報を示す図表である。ステップＳ８の実行により、サービス構成情報データベース２１ａには、ＭＰＬＳ−ＶＰＮサービス構成情報識別子＝２に対応するフィールドにＭＰＬＳ識別子＝１０が登録される。
【００６５】
そして、サービス構成情報管理部２１は、ＭＰＬＳ構成情報管理部２３のＭＰＬＳ構成情報登録を起動させる。ＭＰＬＳ構成情報管理部２３は、ＭＰＬＳ構成情報データベース２３ａにＭＰＬＳ識別子＝１０、ＭＰＬＳ−ＶＰＮサービス構成情報識別子＝２、プロトコル＝ｅＢＧＰ、ＰＥ情報にＰＥルータの識別情報、インタフェース種別、接続構成情報、ＣＥ情報にＣＥルータの識別情報、インタフェース種別、接続構成情報を登録する（ステップＳ９）。図２１−２は、ＭＰＬＳ構成情報データベースの情報を示す図表である。ステップＳ９の実行により、ＭＰＬＳ構成情報データベース２３ａには、ＭＰＬＳ識別子＝１０、ＭＰＬＳ−ＶＰＮサービス構成情報識別子＝２、プロトコル＝ｅＢＧＰ、ＰＥ情報としてＰＥルータ１３の識別情報Ａ、インタフェース種別、接続構成情報、ＣＥ情報にＣＥルータ１１の識別情報Ｂ、インタフェース種別、接続構成情報が登録される。
【００６６】
この後、ＭＰＬＳ構成情報管理部２３は、ＭＰＬＳ４のプロビジョニング（設定）を行う。具体的には、ＭＰＬＳを構成するＰＥルータ１３にｔｅｌｎｅｔでログインする。そして、ＭＰＬＳ構成情報を元にルータコマンドを編集して（ステップＳ１０）、ＭＰＬＳ設定を行う（ステップＳ１０ａ）。
【００６７】
次に、図１９に示すように、保守者は、操作部２６を操作してネットワーク管理装置１５にＶＬＡＮ構成情報登録を実施する（ステップＳ１１）。そして、ネットワーク管理装置１５のサービス構成情報管理部２１は、サービス構成情報データベース２１ａのＭＰＬＳ−ＶＰＮサービス構成情報識別子＝２に対応するフィールドにＶＬＡＮ識別子＝２５を登録する（ステップＳ１２）。図２２−１は、サービス構成情報データベースの情報を示す図である。ステップＳ１２の実行により、サービス構成情報データベース２１ａには、ＭＰＬＳ−ＶＰＮサービス構成情報識別子＝２に対応するフィールドにＶＬＡＮ識別子＝２５が登録される。
【００６８】
この後、サービス構成情報管理部２１は、ＶＬＡＮ構成情報管理部２２のＶＬＡＮ構成情報登録を起動させる。ＶＬＡＮ構成情報管理部２２は、ＶＬＡＮ構成情報データベース２２ａにＶＬＡＮ識別子＝２５、ＭＰＬＳ−ＶＰＮサービス構成情報識別子＝２、ＰＥ情報にＰＥルータの識別情報、インタフェース種別、接続構成情報、ＣＥ情報にＣＥルータの識別情報、インタフェース種別、接続構成情報を登録する（ステップＳ１３）。図２２−２は、ＶＬＡＮ構成情報データベースの情報を示す図表である。ステップＳ１３の実行により、ＶＬＡＮ構成情報データベース２２ａには、ＶＬＡＮ識別子＝２５、ＭＰＬＳ−ＶＰＮサービス構成情報識別子＝２、ＰＥ情報としてＰＥルータ１３の識別情報Ａ、インタフェース種別、接続構成情報として接続構成Ａ、ＣＥ情報としてＣＥルータ１１の識別情報Ｂ、インタフェース種別、接続構成情報が登録される。
【００６９】
そして、ＶＬＡＮ構成情報管理部２２は、ＶＬＡＮ３のプロビジョニング（設定）を行う。具体的には、ＶＬＡＮ３を構成するＰＥルータ１３にｔｅｌｎｅｔでログインする。そして、ＶＬＡＮ構成情報を元にルータコマンドを編集して（ステップＳ１４）、ＶＬＡＮ設定を行う（ステップＳ１４ａ）。
【００７０】
以上説明した実施の形態３によれば、ネットワーク管理装置１５により、ＭＰＬＳ−ＶＰＮサービス全体を管理することができる。ＶＬＡＮ３と、ＭＰＬＳ４と、ＲＳＶＰ−ＴＥ４１との間の接続関係を統括した集中管理が行えるようになるため、末端のユーザネットワーク２，２のユーザ間の接続状態を把握（Ｅｎｄ  ｔｏ  Ｅｎｄの管理）できるようになる。
【００７１】
（実施の形態４）
次に、この発明の実施の形態４について説明する。図２３は、実施の形態４によるネットワーク管理装置の構成を示すブロック図である。実施の形態４は、ネットワークの構成情報を表示するものであり、新たに表示部３０を備える。他の構成は、実施の形態３と同様である。以下の説明では、実施の形態３において説明したネットワークの構成情報が登録済みであることとする。
【００７２】
まず、保守者は、操作部２６を操作してネットワーク管理装置１５に対して、既に登録済みであるサービス画面のサービス名を指定する。表示部３０のサービス画面上には、不図示のメニュー画面が表示されており、このメニューに従い、ＭＰＬＳ−ＶＡＮサービス構成情報（接続構成）の読出しを指示する（ステップＳ４１）。これにより、ネットワーク管理装置１５のサービス構成情報管理部２１は、操作部２６により指定されたサービスのＭＰＬＳ−ＶＰＮ識別子に基づき、サービス構成情報データベース２１ａからＲＳＶＰ−ＴＥ識別子、ＭＰＬＳ識別子、ＶＬＡＮ識別子を収集する（ステップＳ４２）。
【００７３】
次に、サービス構成情報管理部２１は、ＲＳＶＰ−ＴＥ構成情報管理部４３にＲＳＶＰ−ＴＥ識別子を渡す。これにより、ＲＳＶＰ−ＴＥ構成情報管理部４３は、ＲＳＶＰ−ＴＥ構成情報データベース４３ａにＲＳＶＰ−ＴＥ識別子を渡してＲＳＶＰ−ＴＥ構成管理情報を収集し、サービス構成情報管理部２１にＲＳＶＰ−ＴＥ構成管理情報を返す（ステップＳ４３）。
【００７４】
次に、サービス構成情報管理部２１は、ＭＰＬＳ構成情報管理部２３にＭＰＬＳ識別子を渡す。これにより、ＭＰＬＳ構成情報管理部２３は、ＭＰＬＳ構成情報データベース２３ａにＭＰＬＳ識別子を渡してＭＰＬＳ構成管理情報を収集し、サービス構成情報管理部２１にＭＰＬＳ構成管理情報を返す（ステップＳ４４）。次に、サービス構成情報管理部２１は、ＶＬＡＮ構成情報管理部２２にＶＬＡＮ識別子を渡し、ＶＬＡＮ構成情報管理部２２は、ＶＬＡＮ構成情報データベース２２ａにＶＬＡＮ識別子を渡す。これにより、ＶＬＡＮ構成情報管理部２２は、ＶＬＡＮ構成管理情報を収集し、サービス構成情報管理部２１にＶＬＡＮ構成管理情報を返す（ステップＳ４５）。
【００７５】
そして、サービス構成情報管理部２１は、収集したＲＳＶＰ−ＴＥ４１のＷｏｒｋｉｎｇ  Ｐａｔｈ４１ａと、Ｐｒｏｔｅｃｔｉｏｎ  Ｐａｔｈ４１ｂの構成管理情報、ＭＰＬＳ４の構成管理情報、ＶＬＡＮ３の構成管理情報を表示部３０の表示画面３０ａ上に表示する（ステップＳ４６）。
【００７６】
図２４は、表示部上に表示されるネットワークの接続構成情報を示す図表である。図示のように、表示画面３０ａ上には、ＲＳＶＰ−ＴＥ構成管理情報と、ＭＰＬＳ構成管理情報と、ＶＬＡＮ構成管理情報とに基づいて、ＣＥルータ１１（１１ａ，１１ｂ）と、ＳＷ１２（１２ａ〜１２ｄ）と、ＰＥルータ１３（１３ａ〜１３ｄ）と、Ｐルータ１４（１４ａ〜１４ｄ）のそれぞれの接続状態が結線状態でイメージ化して表示される。
【００７７】
次に、図２５は、実施の形態４のネットワーク管理装置に障害情報管理の機能を追加した構成を示すブロック図である。図２５には、ネットワークに障害が発生したときに、この障害情報を収集し、表示部３０に表示する構成を記載してある。なお、図２５に記載した各構成部は、図２３と同様である。図２５では、障害情報管理部３１を新たに備える。
【００７８】
まず、保守者は、操作部２６を操作してネットワーク管理装置１５に対して、既に登録済みであるサービス画面のサービス名を指定する。表示部３０のサービス画面上には、不図示のメニュー画面が設けられており、このメニューに従い、ＭＰＬＳ−ＶＰＮサービスにおける状態読出しを指示する（ステップＳ５１）。
【００７９】
これにより、ネットワーク管理装置１５のサービス構成情報管理部２１は、指定されたサービスのＭＰＬＳ−ＶＰＮ識別子をサービス構成情報データベース２１ａに入力して、ＲＳＶＰ−ＴＥ識別子、ＭＰＬＳ識別子、ＶＬＡＮ識別子を収集する（ステップＳ５２）。
【００８０】
この後、サービス構成情報管理部２１は、ＲＳＶＰ−ＴＥ構成情報管理部４３にＲＳＶＰ−ＴＥ識別子を渡す。ＲＳＶＰ−ＴＥ構成情報管理部４３は、ＲＳＶＰ−ＴＥ構成情報データベース４３ａにＲＳＶＰ−ＴＥ識別子を渡してＲＳＶＰ−ＴＥ構成管理情報を収集し、サービス構成情報管理部２１にＲＳＶＰ−ＴＥ構成管理情報を返す（ステップＳ５３）。また、サービス構成情報管理部２１は、ＭＰＬＳ構成情報管理部２３にＭＰＬＳ識別子を渡す。ＭＰＬＳ構成情報管理部２３は、ＭＰＬＳ構成情報データベース２３ａにＭＰＬＳ識別子を渡してＭＰＬＳ構成管理情報を収集し、サービス構成情報管理部２１にＭＰＬＳ構成管理情報を返す（ステップＳ５４）。また、サービス構成情報管理部２１は、ＶＬＡＮ構成情報管理部２２にＬＳＰ識別子を渡す。ＶＬＡＮ構成情報管理部２２は、ＶＬＡＮ構成情報データベース２２ａにＶＬＡＮ識別子を渡し、ＶＬＡＮ構成管理情報を収集してサービス構成情報管理部２１にＶＬＡＮ構成管理情報を返す（ステップＳ５５）。
【００８１】
そして、サービス構成情報管理部２１は、障害情報管理部３１を起動させて障害情報収集を行わせる。サービス構成情報管理部２１は、ＲＳＶＰ−ＴＥ構成管理情報／ＭＰＬＳ構成管理情報を渡して、各構成管理情報にあるルータやリンクの障害情報を収集させる（ステップＳ５６）。この後、サービス構成情報管理部２１は、収集したＲＳＶＰ−ＴＥ４１のＷｏｒｋｉｎｇ  Ｐａｔｈ４１ａと、Ｐｒｏｔｅｃｔｉｏｎ  Ｐａｔｈ４１ｂの構成管理情報、ＭＰＬＳ４の構成管理情報、ＶＬＡＮ３の構成管理情報と、各構成情報内のルータやリンク状態の情報を表示部３０の表示画面３０ａ上に表示する（ステップＳ５７）。
【００８２】
表示部３０の表示画面３０ａ上では、例えば、正常動作している箇所と、障害発生箇所とを異なる表示色で表示するようになっている。図２４に示した例では、ＰＥルータ１３ｃ（箇所Ａ）に障害が発生したとき、このＰＥルータ１３ｃを赤色で表示する。その他のルータ（ＣＥルータ１１，ＳＷ１２，ＰＥルータ１３（１３ａ，１３ｂ，１３ｄ），Ｐルータ１４）は緑色で表示される。障害発生箇所は、表示色を変更するに限らず、表示を点滅させるなど、他の表示形態としてもよい。
【００８３】
図２６、図２７は、実施の形態４によるネットワーク構成情報の表示処理の手順を示すシーケンス図である。これらの図において、図２３および図２５に記載した処理と同一の処理内容には、同一のステップ番号を附してある。
【００８４】
はじめに、図２６に示すように、保守者は、操作部２６を操作してネットワーク管理装置１５の表示部３０に表示されているサービス画面からサービス名を指定し、構成管理情報（接続構成）の読出しを指示する（ステップＳ４１）。
【００８５】
次に、ネットワーク管理装置１５のサービス構成情報管理部２１は、指定されたサービスのＭＰＬＳ−ＶＰＮ識別子をサービス構成情報データベース２１ａに入力して、ＲＳＶＰ−ＴＥ識別子、ＭＰＬＳ識別子、ＶＬＡＮ識別子を収集する（ステップＳ４２）。図２８−１は、サービス構成情報データベースの情報を示す図表である。ステップＳ４２の実行により、サービス構成情報データベース２１ａからＭＰＬＳ−ＶＰＮサービス識別子＝２に対応するＲＳＶＰ−ＴＥ識別子＝３，ＭＰＬＳ識別子＝１０，ＶＬＡＮ識別子２５をそれぞれ収集する。
【００８６】
次に、サービス構成情報管理部２１は、ＲＳＶＰ−ＴＥ構成情報管理部４３にＲＳＶＰ−ＴＥ識別子を渡してＲＳＶＰ−ＴＥ構成情報収集を実施する。ＲＳＶＰ−ＴＥ構成情報管理部４３は、ＲＳＶＰ−ＴＥ構成情報データベース４３ａにＲＳＶＰ−ＴＥ識別子を渡してＲＳＶＰ−ＴＥ構成管理情報（Ｐｒｏｔｅｃｔｉｏｎ  Ｐａｔｈ４１ａの構成情報を含む）を収集し、サービス構成情報管理部２１にＲＳＶＰ−ＴＥ構成管理情報を返す（ステップＳ４３）。図２８−２は、ＲＳＶＰ−ＴＥ構成情報データベースの情報を示す図表である。ステップＳ４３の実行により、ＲＳＶＰ−ＴＥ構成情報データベース４３ａからＲＳＶＰ−ＴＥ識別子＝３に対応する接続構成情報（Ｐ／ＰＥルータ識別情報、インタフェース情報、接続構成情報など）と、プロトコル＝ＲＳＶＰ−ＴＥをそれぞれ収集する。
【００８７】
次に、サービス構成情報管理部２１は、ＭＰＬＳ構成情報管理部２３にＭＰＬＳ識別子を渡し、ＭＰＬＳ構成情報収集を実施する。ＭＰＬＳ構成情報管理部２３は、ＭＰＬＳ構成情報データベース２３ａにＭＰＬＳ識別子を渡してＭＰＬＳ構成管理情報を収集し、サービス構成情報管理部２１にＭＰＬＳ構成管理情報を返す（ステップＳ４４）。図２８−３は、ＭＰＬＳ構成情報データベースの情報を示す図表である。ステップＳ４４の実行により、ＭＰＬＳ構成情報データベース２３ａからＭＰＬＳ識別子＝１０に対応するＰＥ情報とＣＥ情報（ルータ識別情報、インタフェース情報、接続構成情報など）と、プロトコルを収集する。
【００８８】
次に、図２７に示すように、サービス構成情報管理部２１は、ＶＬＡＮ構成情報管理部２２にＶＬＡＮ識別子を渡してＶＬＡＮ構成情報収集を実施する。ＶＬＡＮ構成情報管理部２２は、ＶＬＡＮ構成情報データベース２２ａにＶＬＡＮ識別子を渡し、ＶＬＡＮ構成管理情報を収集し、サービス構成情報管理部２１にＶＬＡＮ構成管理情報を返す（ステップＳ４５）。図２８−４は、ＶＬＡＮ構成情報データベースの情報を示す図表である。ステップＳ４５の実行により、ＶＬＡＮ構成情報データベース２２ａからＶＬＡＮ識別子＝２５に対応するＰＥ情報Ａと、ＣＥ情報Ｂ（ルータ識別情報、インタフェース情報、接続構成情報など）と、接続構成Ａを収集する。
【００８９】
以上の処理によってサービス構成情報管理部２１は、収集したＲＳＶＰ−ＴＥ構成管理情報、ＭＰＬＳ構成管理情報、ＶＬＡＮ構成管理情報を元にＥｎｄ  ｔｏ  Ｅｎｄの接続構成を表示部３０の表示画面３０ａ上に表示することができる（図２３のステップＳ４６の処理）。上記の各処理におけるステップＳ４１〜Ｓ４５の処理は、図２３に示したステップ番号を附した。これらステップＳ４１〜Ｓ４５の処理は、図２５におけるステップＳ５１〜Ｓ５５の処理と同様である。
【００９０】
この後、障害発生時には、図２５に示した障害情報管理部３１が起動する。まず、サービス構成情報管理部２１は、障害情報管理部３１にＲＳＶＰ−ＴＥ／ＭＰＬＳ／ＶＬＡＮ構成情報を渡し、障害情報管理部３１は、構成情報に含まれているルータやリンクの障害情報を返送する（ステップＳ５６）。この後、サービス構成情報管理部２１は、収集したＲＳＶＰ−ＴＥ４１のＷｏｒｋｉｎｇ  Ｐａｔｈ４１ａと、Ｐｒｏｔｅｃｔｉｏｎ  Ｐａｔｈ４１ｂの構成管理情報、ＭＰＬＳ４の構成管理情報、ＶＬＡＮ３の構成管理情報と、各構成情報内のルータやリンク状態の情報を表示部３０の表示画面３０ａ上に表示する（ステップＳ５７）。この際、図２４に示すように、障害発生箇所Ａは、赤色等の表示色で表示され、障害発生箇所を容易に特定できる。
【００９１】
以上説明した実施の形態４によれば、ネットワークに属するルータ個々の接続状態を表示部にイメージ化して表示されるため、ネットワーク全体の接続状態を容易に把握でき、管理を容易化できるようになる。また、障害発生箇所を目立つよう表示でき、容易に障害発生箇所を特定できるようになる。
【００９２】
以上説明したネットワーク管理装置、ネットワーク管理方法およびネットワーク管理プログラムによれば、ＭＰＬＳ−ＶＰＮサービスを構成する複数のプロトコルで構成されたＭＰＬＳ−ＶＰＮネットワーク全体を管理および監視できるようになる。また、障害発生図には、障害発生箇所を容易に特定できるようになる。個別のプロトコルによる個別のネットワークとしは、上記のＬＳＰ５，ＭＰＬＳ４，ＶＬＡＮ３，ＲＳＶＰ−ＴＥ４１の他に、ＥｏＭＰＬＳ等がある。本発明によれば、これらの各個別ネットワークを適宜に組み合わせて通信サービスを提供するネットワーク全体の監視・管理が行える。
【００９３】
なお、本実施の形態で説明したネットワーク管理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００９４】
（付記１）それぞれ異なるプロトコルにより運用される複数の個別ネットワークを経由した通信サービスを行うネットワークを管理するネットワーク管理装置において、
前記ネットワークの全体を構成している複数の前記個別ネットワークのそれぞれを、識別子を用いて相互に関連付けするサービス構成情報管理手段と、
前記サービス構成情報管理手段により関連付けされた複数の前記個別ネットワークの情報を格納するサービス構成情報格納手段と、
複数の前記個別ネットワークにそれぞれ配置されたルータの識別情報、接続情報およびプロトコルの情報を、前記複数のネットワーク毎に管理する複数の個別構成情報格納手段と、
複数の前記個別構成情報格納手段に格納されたルータの識別情報、接続情報およびプロトコルに基づいて、該当する前記個別ネットワークに配置された前記ルータに対する設定を行う複数の個別構成情報管理手段と、
を備えたことを特徴とするネットワーク管理装置。
【００９５】
（付記２）前記識別子と、前記ルータの識別情報、接続情報およびプロトコルの情報を操作入力する操作手段を備え、
前記サービス構成情報管理手段は、前記操作手段によって入力される複数の情報を、前記ネットワークの全体を用いた所定の通信サービス名を単位として前記関連付けを行うことを特徴とする付記１に記載のネットワーク管理装置。
【００９６】
（付記３）前記サービス構成情報管理手段によって管理された情報を表示する表示手段を備え、
前記サービス構成情報管理手段は、複数の前記個別構成情報管理手段がそれぞれ管理する情報を、前記通信サービス毎に前記表示手段に表示出力することを特徴とする付記２に記載のネットワーク管理装置。
【００９７】
（付記４）前記個別ネットワークに生じた障害情報を収集し、管理する障害情報管理手段を備え、
前記サービス構成情報管理手段は、前記障害情報管理手段によって収集された前記障害情報を前記表示手段に表示出力することを特徴とする付記３に記載のネットワーク管理装置。
【００９８】
（付記５）前記サービス構成情報管理手段は、複数の前記個別構成情報管理手段がそれぞれ管理する情報を、前記通信サービス毎のルータと、当該ルータの接続経路の情報をイメージ化した表示情報として前記表示手段に対して表示出力することを特徴とする付記３に記載のネットワーク管理装置。
【００９９】
（付記６）前記サービス構成情報管理手段は、前記障害情報管理手段によって収集された前記障害情報に基づき、障害発生箇所を前記表示情報に含ませて表示出力することを特徴とする付記５に記載のネットワーク管理装置。
【０１００】
（付記７）前記個別ネットワークは、ＶＬＡＮと、ＭＰＬＳと、ＬＤＰとにより構成され、ネットワーク全体でＭＰＬＳ−ＶＰＮサービスを行うことを特徴とする付記１〜６のいずれか一つに記載のネットワーク管理装置。
【０１０１】
（付記８）前記個別ネットワークは、ＶＬＡＮと、ＭＰＬＳと、ＲＳＶＰ−ＴＥとにより構成され、ネットワーク全体でＭＰＬＳ−ＶＰＮサービスを行うことを特徴とする付記１〜６のいずれか一つに記載のネットワーク管理装置。
【０１０２】
（付記９）前記サービス構成情報管理手段は、前記ＲＳＶＰ−ＴＥのＷｏｒｋｉｎｇ  Ｐａｔｈと、Ｐｒｏｔｅｃｔｉｏｎ  Ｐａｔｈと、のそれぞれの構成に関する情報を前記表示手段に対して表示出力することを特徴とする付記８に記載のネットワーク管理装置。
【０１０３】
（付記１０）前記サービス構成情報管理手段は、前記ＲＳＶＰ−ＴＥのＷｏｒｋｉｎｇ  Ｐａｔｈと、Ｐｒｏｔｅｃｔｉｏｎ  Ｐａｔｈと、のそれぞれの運用状態を前記表示手段に対して表示出力することを特徴とする付記８に記載のネットワーク管理装置。
【０１０４】
（付記１１）それぞれ異なるプロトコルにより運用される複数の個別ネットワークを経由した通信サービスを行うネットワーク全体のネットワーク構成を管理するネットワーク管理方法において、
前記ネットワーク全体を構成している前記複数の個別ネットワークのそれぞれを、識別子を用いて相互に関連付けする関連付け工程と、
前記複数の個別ネットワークにそれぞれ配置されたルータの識別情報、接続情報およびプロトコルの情報に基づいて、該当する前記個別ネットワーク毎に、当該個別ネットワークに配置された前記ルータに対する設定を行う設定工程と、
を含むことを特徴とするネットワーク管理方法。
【０１０５】
（付記１２）前記関連付け工程は、入力された複数の情報を、前記ネットワーク全体を用いた所定の通信サービス名を単位として前記関連づけを行うことを特徴とする付記１１に記載のネットワーク管理方法。
【０１０６】
（付記１３）前記関連付け工程は、前記設定工程がそれぞれ設定を行う前記個別ネットワークそれぞれの情報を、前記通信サービス毎に表示出力することを特徴とする付記１２に記載のネットワーク管理方法。
【０１０７】
（付記１４）プログラムの実行により、それぞれ異なるプロトコルで運用される複数の個別ネットワークを経由した通信サービスを行うネットワーク全体のネットワーク構成を管理させるプログラムにおいて、
前記プログラムは、当該プログラムを実行するコンピュータに対し、
前記ネットワーク全体を構成している複数の前記個別ネットワークのそれぞれを、識別子を用いて相互に関連付けさせ、
複数の前記個別ネットワークにそれぞれ配置されたルータの識別情報、接続情報およびプロトコルの情報に基づいて、該当する前記個別ネットワーク毎に、当該個別ネットワークに配置された前記ルータに対する設定を行わせることを特徴とするネットワーク管理プログラム。
【産業上の利用可能性】
【０１０８】
以上のように、本発明にかかるネットワーク管理装置、ネットワーク管理方法およびネットワーク管理プログラムは、複数のプロトコルで構成されたネットワーク全体の管理および監視に有用であり、特に、ＶＬＡＮ、ＭＰＬＳ、ＬＳＰ、ＲＳＶＰ−ＴＥ等の複数のプロトコルにより構成されるＭＰＬＳ−ＶＰＮサービスに適している。
【図面の簡単な説明】
【０１０９】
【図１】実施の形態１のネットワーク管理装置が管理するＭＰＬＳ−ＶＰＮネットワークを示す図である。
【図２】実施の形態１によるネットワーク管理装置の構成を示すブロック図である。
【図３】実施の形態１によるネットワーク構成情報の管理処理の手順を示すシーケンス図である（その１）。
【図４】実施の形態１によるネットワーク構成情報の管理処理の手順を示すシーケンス図である（その２）。
【図５】実施の形態１によるネットワーク構成情報の管理処理の手順を示すシーケンス図である（その３）。
【図６−１】サービス構成情報データベースの情報を示す図表である。
【図６−２】サービス構成情報データベースの情報を示す図表である。
【図６−３】ＬＳＰ構成情報データベースの情報を示す図表である。
【図７−１】サービス構成情報データベースの情報を示す図表である。
【図７−２】ＭＰＬＳ構成情報データベースの情報を示す図表である。
【図８−１】サービス構成情報データベースの情報を示す図である。
【図８−２】ＶＬＡＮ構成情報データベースの情報を示す図表である。
【図９】実施の形態２によるネットワーク管理装置の構成を示すブロック図である。
【図１０】表示部上に表示されるネットワークの接続構成情報を示す図表である。
【図１１】実施の形態２のネットワーク管理装置に障害情報管理の機能を追加した構成を示すブロック図である。
【図１２】実施の形態２によるネットワーク構成情報の表示処理の手順を示すシーケンス図である（その１）。
【図１３】実施の形態２によるネットワーク構成情報の表示処理の手順を示すシーケンス図である（その２）。
【図１４−１】サービス構成情報データベースの情報を示す図表である。
【図１４−２】ＬＳＰ構成情報データベースの情報を示す図表である。
【図１４−３】ＭＰＬＳ構成情報データベースの情報を示す図表である。
【図１４−４】ＶＬＡＮ構成情報データベースの情報を示す図表である。
【図１５】実施の形態３のネットワーク管理装置が管理するＭＰＬＳ−ＶＰＮネットワークを示す図である。
【図１６】実施の形態３によるネットワーク管理装置の構成を示すブロック図である。
【図１７】実施の形態３によるネットワーク構成情報の管理処理の手順を示すシーケンス図である（その１）。
【図１８】実施の形態３によるネットワーク構成情報の管理処理の手順を示すシーケンス図である（その２）。
【図１９】実施の形態３によるネットワーク構成情報の管理処理の手順を示すシーケンス図である（その３）。
【図２０−１】サービス構成情報データベースの情報を示す図表である。
【図２０−２】サービス構成情報データベースの情報を示す図表である。
【図２０−３】ＲＳＶＰ−ＴＥ構成情報データベースの情報を示す図表である。
【図２１−１】サービス構成情報データベースの情報を示す図表である。
【図２１−２】ＭＰＬＳ構成情報データベースの情報を示す図表である。
【図２２−１】サービス構成情報データベースの情報を示す図である。
【図２２−２】ＶＬＡＮ構成情報データベースの情報を示す図表である。
【図２３】実施の形態４によるネットワーク管理装置の構成を示すブロック図である。
【図２４】表示部上に表示されるネットワークの接続構成情報を示す図表である。
【図２５】実施の形態４のネットワーク管理装置に障害情報管理の機能を追加した構成を示すブロック図である。
【図２６】実施の形態４によるネットワーク構成情報の表示処理の手順を示すシーケンス図である（その１）。
【図２７】実施の形態４によるネットワーク構成情報の表示処理の手順を示すシーケンス図である（その２）。
【図２８−１】サービス構成情報データベースの情報を示す図表である。
【図２８−２】ＲＳＶＰ−ＴＥ構成情報データベースの情報を示す図表である。
【図２８−３】ＭＰＬＳ構成情報データベースの情報を示す図表である。
【図２８−４】ＶＬＡＮ構成情報データベースの情報を示す図表である。
【図２９】従来のネットワーク管理システムの構成を示す図である。
【符号の説明】
【０１１０】
１  ＭＰＬＳ−ＶＰＮネットワーク
２  ユーザネットワーク
３  ＶＬＡＮ
４  ＭＰＬＳ
１１  ＣＥルータ
１２  ＳＷ
１３  ＰＥルータ
１４  Ｐルータ
１５  ネットワーク管理装置
２１  サービス構成情報管理部
２１ａ  サービス構成情報データベース
２２  ＶＬＡＮ構成情報管理部
２２ａ  ＶＬＡＮ構成情報データベース
２３  ＭＰＬＳ構成情報管理部
２３ａ  ＭＰＬＳ構成情報データベース
２４  ＬＳＰ構成情報管理部
２４ａ  ＬＳＰ構成情報データベース
２６  操作部
３０  表示部
３０ａ  表示画面
３１  障害情報管理部
４３  ＲＳＶＰ−ＴＥ構成情報管理部
４３ａ  ＲＳＶＰ−ＴＥ構成情報データベース
【図１】
2006025159.tif 000003
【図２】
2006025159.tif 000004
【図３】
2006025159.tif 000005
【図４】
2006025159.tif 000006
【図５】
2006025159.tif 000007
【図６−１】
2006025159.tif 000008
【図６−２】
2006025159.tif 000009
【図６−３】
2006025159.tif 000010
【図７−１】
2006025159.tif 000011
【図７−２】
2006025159.tif 000012
【図８−１】
2006025159.tif 000013
【図８−２】
2006025159.tif 000014
【図９】
2006025159.tif 000015
【図１０】
2006025159.tif 000016
【図１１】
2006025159.tif 000017
【図１２】
2006025159.tif 000018
【図１３】
2006025159.tif 000019
【図１４−１】
2006025159.tif 000020
【図１４−２】
2006025159.tif 000021
【図１４−３】
2006025159.tif 000022
【図１４−４】
2006025159.tif 000023
【図１５】
2006025159.tif 000024
【図１６】
2006025159.tif 000025
【図１７】
2006025159.tif 000026
【図１８】
2006025159.tif 000027
【図１９】
2006025159.tif 000028
【図２０−１】
2006025159.tif 000029
【図２０−２】
2006025159.tif 000030
【図２０−３】
2006025159.tif 000031
【図２１−１】
2006025159.tif 000032
【図２１−２】
2006025159.tif 000033
【図２２−１】
2006025159.tif 000034
【図２２−２】
2006025159.tif 000035
【図２３】
2006025159.tif 000036
【図２４】
2006025159.tif 000037
【図２５】
2006025159.tif 000038
【図２６】
2006025159.tif 000039
【図２７】
2006025159.tif 000040
【図２８−１】
2006025159.tif 000041
【図２８−２】
2006025159.tif 000042
【図２８−３】
2006025159.tif 000043
【図２８−４】
2006025159.tif 000044
【図２９】
2006025159.tif 000045